(57)【要約】【課題】開閉自在パウチを提供する。【解決手段】開閉自在パウチは、第１の袋壁及び第２の袋壁を有する本体部を備える。第１及び第２の袋壁の内面には、第１及び第２の閉止機構（２３８ａ、２３８ｂ）が配設される。第１の閉止機構（２３８ａ）は、第１の雌型閉止要素（２４４ｂ）及び第１の雄型閉止要素（２４４ａ）を含む。第２の閉止機構（２３８ｂ）は、第２の雌型閉止要素（２５６ｂ）及び第２の雄型閉止要素（２５６ａ）を含む。第１の雄型閉止要素（２４４ａ）は、その端部から延びて雌型閉止要素（２４４ｂ）の脚部（２５２、２５４）と係合する２つのフック部（２５１ａ、２５１ｂ）を含む。第２の雄型閉止要素（２５６ａ）は、その端部から延びて第２の雌型閉止要素（２５６ｂ）の脚部（２６２、２６０）の一方と係合する１つのフック部（２６５）のみを含む。【選択図】図５
2011063318.tif 000002
【特許請求の範囲】
【請求項１】
第１及び第２の対向する袋壁を有する本体部であって、各袋壁が内面を有する本体部と、
前記第１及び第２の袋壁の前記内面に配設され、互いに平行であり且つ約０．１インチ（２．５４ｍｍ）〜０．３インチ（７．６２ｍｍ）の間隔で離間された第１の閉止機構及び第２の閉止機構と、
を備える開閉自在パウチ。
【請求項２】
前記第１の閉止機構は第１の閉止特性を示し、前記第２の閉止機構は前記第１の閉止特性とは異なる第２の閉止特性を示す、請求項１記載の開閉自在パウチ。
【請求項３】
前記第１の閉止特性は前記パウチが閉じる際のカチっと鳴るような感触を含む、請求項２記載のパウチ。
【請求項４】
前記第２の閉止特性は、前記第２の閉止機構の一方の側に加えられる開口力に対する第１の抵抗と、前記第２の閉止機構の他方の側に加えられる開口力に対する第２の抵抗とを含み、前記第１の抵抗は前記第２の抵抗より大きい、請求項２記載のパウチ。
【請求項５】
前記第１の閉止機構は、開口力に対する第１の全体抵抗を示し、前記第２の閉止機構は、開口力に対する第２の全体抵抗を示し、前記第１の全体抵抗は前記第２の全体抵抗とは異なる、請求項２記載のパウチ。
【請求項６】
前記第１の閉止特性は前記パウチが閉じる際のカチっと鳴るような感触を含み、前記第１の閉止機構は前記第１の袋壁に配設された雄型閉止部及び第２の袋壁に配設された雌型閉止部を有し、前記第２の閉止機構は前記第２の袋壁に配設された雄型閉止部及び第１の袋壁に配設された雌型閉止部を有する、請求項５記載のパウチ。
【請求項７】
前記第１の全体抵抗が前記第２の全体抵抗より大きい、請求項６記載のパウチ。
【請求項８】
前記第１の全体抵抗が前記第２の全体抵抗より小さい、請求項６記載のパウチ。
【請求項９】
前記第１の閉止機構が、前記第２の閉止機構よりも前記パウチの最上部の近くに配置される、請求項６記載のパウチ。
【請求項１０】
前記第２の閉止機構が、前記第１の閉止機構よりも前記パウチの最上部の近くに配置される、請求項６記載のパウチ。
【請求項１１】
前記第１の袋壁及び第２の袋壁の一方の上の前記閉止機構間に配設される補剛部材を更に備える、請求項１記載のパウチ。
【請求項１２】
前記第１の閉止機構及び第２の閉止機構が同じ閉止特性を示す、請求項１記載のパウチ。
【請求項１３】
前記閉止特性は前記パウチが閉じる際のカチっと鳴るような感触を含む、請求項１２記載のパウチ。
【請求項１４】
前記閉止特性は、前記閉止機構の一方の側に加えられる開口力に対する第１の抵抗と、前記閉止機構の他方の側に加えられる開口力に対する第２の抵抗とを含み、前記第１の抵抗は前記第２の抵抗より大きい、請求項１２記載のパウチ。
【請求項１５】
前記第１の閉止機構及び前記第２の閉止機構が、約０．１５インチ（３．８１ｍｍ）〜０．２５インチ（６．３５ｍｍ）の間隔で離間される、請求項１記載のパウチ。
【請求項１６】
前記第１の閉止機構及び前記第２の閉止機構が約０．２インチ（５．０８ｍｍ）の間隔で離間される、請求項１記載のパウチ。
【請求項１７】
前記第１の閉止機構及び前記第２の閉止機構を相互接続する少なくとも１つのウェブを更に備える、請求項１記載のパウチ。
【請求項１８】
前記第１の閉止機構と前記第２の閉止機構との間に配設される第１のウェブ及び第２のウェブを更に備える、請求項１記載のパウチ。
【請求項１９】
前記第１のウェブは第１の視覚的特性を備える、請求項１８記載のパウチ。
【請求項２０】
前記第２のウェブは、前記第１の視覚的特性とは異なる第２の視覚的特性を備える、請求項１９記載のパウチ。
【請求項２１】
前記第１のウェブ及び前記第２のウェブの少なくとも一方が触覚的特性も備える、請求項２０記載のパウチ。
【請求項２２】
前記第１のウェブ及び前記第２のウェブの少なくとも一方がフォーム材である、請求項２０記載のパウチ。
【請求項２３】
前記第１のウェブは、前記第１のウェブの長さに沿って別個の部分によって形成される第１の交互パターンを有する断続的な部分を含む、請求項１８記載のパウチ。
【請求項２４】
前記第１のウェブの前記断続的な部分は第１の視覚的特性を備え、前記ウェブの残りの部分は第２の視覚的特性を備える、請求項２３記載のパウチ。
【請求項２５】
前記第２のウェブは、前記第２のウェブの長さに沿って別個の部分によって形成される第２の交互パターンを有する断続的な部分を含む、請求項２４記載のパウチ。
【請求項２６】
前記第２のウェブの前記断続的な部分は第１の視覚的特性を備え、前記ウェブの残りの部分は第２の視覚的特性を備える、請求項２５記載のパウチ。
【請求項２７】
前記第１の交互パターンは規則的であり、前記第２の交互パターンは前記第１の交互パターンと同一であるが１８０度変位される、請求項２６記載のパウチ。
【請求項２８】
前記第１の閉止機構及び前記第２の閉止機構の各々は雄型閉止要素及び雌型閉止要素を含み、前記第１の袋壁上の前記第１の閉止機構の前記雌型閉止要素は前記第２の閉止機構の前記雄型閉止要素に隣接し、前記第２の袋壁上の前記第２の閉止機構の前記雌型閉止要素は前記第１の閉止機構の前記雄型閉止要素に隣接する、請求項１記載のパウチ。
【請求項２９】
前記第１の閉止機構の前記雌型閉止要素と前記第２の閉止機構の前記雄型閉止要素との間にストリップが配設される、請求項２８記載のパウチ。
【請求項３０】
前記第２の閉止機構の前記雌型閉止要素と前記第１の閉止機構の前記雄型閉止要素との間に更なるストリップが配設される、請求項２９記載のパウチ。
【請求項３１】
前記第１の閉止機構の前記雌型閉止要素と前記第２の閉止機構の前記雄型閉止要素とがウェブで相互接続される、請求項２８記載のパウチ。
【請求項３２】
前記第２の閉止機構の前記雌型閉止要素と前記第１の閉止機構の前記雄型閉止要素とが更なるウェブで相互接続される、請求項２９記載のパウチ。
【請求項３３】
前記第１の閉止機構及び前記第２の閉止機構の各々が雄型閉止要素及び雌型閉止要素を含み、前記第１の袋壁上の前記第１の閉止機構の前記雌型閉止要素は前記第２の閉止機構の前記雌型閉止要素に隣接し、前記第２の袋壁上の前記第２の閉止機構の前記雄型閉止要素は前記第１の閉止機構の前記雄型閉止要素に隣接する、請求項１記載のパウチ。
【請求項３４】
前記第１の閉止機構の前記雌型閉止要素と前記第２の閉止機構の前記雌型閉止要素との間にストリップが配設される、請求項３３記載のパウチ。
【請求項３５】
前記第２の閉止機構の前記雄型閉止要素と前記第１の閉止機構の前記雄型閉止要素との間に更なるストリップが配設される、請求項３４記載のパウチ。
【請求項３６】
前記第１の閉止機構の前記雌型閉止要素と前記第２の閉止機構の前記雌型閉止要素とがウェブで相互接続される、請求項３３記載のパウチ。
【請求項３７】
前記第２の閉止機構の前記雄型閉止要素と前記第１の閉止機構の前記雄型閉止要素とが更なるウェブで相互接続される、請求項３６記載のパウチ。
【請求項３８】
開閉自在パウチであって、
第１及び第２の対向する袋壁を有する本体部であって、各袋壁が内面を有する本体部と、
前記第１及び第２の袋壁の前記内面に配設される第１の閉止機構及び第２の閉止機構と、
を備え、
前記第１の閉止機構は該第１の閉止機構の開閉時にカチっと鳴るような感触を提供すると共に開口力に対する第１の全体抵抗を更に提供し、前記第２の閉止機構は開口力に対する第２の全体抵抗を提供し、前記第２の全体抵抗が前記第１の全体抵抗より大きい、
開閉自在パウチ。
【請求項３９】
前記第２の閉止機構は、前記第２の閉止機構の一方の側に加えられる開口力に対する第１の抵抗と、前記第２の閉止機構の他方の側に加えられる開口力に対する第２の抵抗とを示し、前記第１の抵抗が前記第２の抵抗より大きい、請求項３８記載のパウチ。
【請求項４０】
前記第１の閉止機構が、前記第２の閉止機構よりも前記パウチの最上部の近くに配置される、請求項３９記載のパウチ。
【請求項４１】
前記第２の閉止機構が、前記第１の閉止機構よりも前記パウチの最上部の近くに配置される、請求項３９記載のパウチ。
【請求項４２】
前記第１の袋壁及び第２の袋壁の一方の上の前記閉止機構間に配設される補剛部材を更に備える、請求項３８記載のパウチ。
【請求項４３】
前記第１の閉止機構は前記第１の袋壁に配設される雄型閉止部及び前記第２の袋壁に配設される雌型閉止部を有し、前記第２の閉止機構は前記第２の袋壁に配設される雄型閉止部及び前記第１の袋壁に配設される雌型閉止部を有する、請求項３８記載のパウチ。
【請求項４４】
前記第１の袋壁及び前記第２の袋壁の少なくとも一方に配設される前記閉止部を相互接続する少なくとも１つのウェブを更に備える、請求項４３記載のパウチ。
【請求項４５】
前記第１の閉止機構は前記第１の袋壁に配設される雄型閉止部及び前記第２の袋壁に配設される雌型閉止部を有し、前記第２の閉止機構は前記第１の袋壁に配設される雄型閉止部及び前記第２の袋壁に配設される雌型閉止部を有する、請求項３８記載のパウチ。
【請求項４６】
前記第１の袋壁及び前記第２の袋壁の少なくとも一方に配設される前記閉止部を相互接続する少なくとも１つのウェブを更に備える、請求項４５記載のパウチ。
【請求項４７】
開閉自在パウチであって、
第１の袋壁及び第２の袋壁を有する本体部と、
第１の雄型閉止要素及び第１の雌型閉止要素を備える第１の閉止機構であって、前記第１の雌型閉止要素は第１及び第２の離間した脚部を有し、前記第１の雄型閉止要素及び前記第１の雌型閉止要素は前記第１の袋壁及び前記第２の袋壁からなる対向する面に配設される、第１の閉止機構と、
第２の雄型閉止要素及び第２の雌型閉止要素を備える第２の閉止機構であって、前記第２の雌型閉止要素は第３及び第４の離間した脚部を有し、前記第２の雄型閉止要素及び前記第２の雌型閉止要素は前記第１の袋壁及び前記第２の袋壁からなる対向する面に配設される、第２の閉止機構と、
を備え、
前記第１の雄型閉止要素はその端部から延びて前記第１の雌型閉止要素の前記脚部と係合する２つのフック部を備え、前記第２の雄型閉止要素はその端部から延びて前記第２の雌型閉止要素の前記脚部の一方と係合する１つのフック部のみを備える、
開閉自在パウチ。
【請求項４８】
前記第１の雄型閉止要素は、第１の外部開口力で前記第１の雌型閉止要素から分離し、前記第２の雄型閉止要素は、前記第１の外部開口力より小さい第２の外部開口力で前記第２の雌型閉止要素から分離する、請求項４７記載の開閉自在パウチ。
【請求項４９】
前記第１の閉止機構は第１の閉止特性を示し、前記第２の閉止機構は前記第１の閉止特性とは異なる第２の閉止特性を示す、請求項４７記載の開閉自在パウチ。
【請求項５０】
前記第１の閉止特性は前記パウチが閉じる際のカチっと鳴るような感触を含む、請求項４９記載の開閉自在パウチ。
【請求項５１】
前記第２の閉止特性は、前記第２の閉止機構の第１の側に加えられる外部開口力に対する第１の抵抗と、前記第２の閉止機構の第２の側に加えられる内部開口力に対する第２の抵抗とを備え、前記第２の抵抗は前記第１の抵抗より大きい、請求項４９記載の開閉自在パウチ。
【請求項５２】
前記第２の閉止機構の前記第１の側は、前記第２の側よりも前記パウチの最上部の近くに配設される、請求項５１記載の開閉自在パウチ。
【請求項５３】
前記第１の閉止機構は、前記第２の閉止機構よりも前記パウチの最上部の近くに配設される、請求項４７記載の開閉自在パウチ。
【請求項５４】
前記第１の閉止機構及び前記第２の閉止機構の各々は雄型閉止要素及び雌型閉止要素を備え、前記第１の袋壁上の前記第１の閉止機構の前記第１の雌型閉止要素は前記第２の閉止機構の前記第２の雄型閉止要素に隣接し、前記第２の袋壁上の前記第１の閉止機構の前記第１の雄型閉止要素は前記第２の閉止機構の前記第２の雌型閉止要素に隣接する、請求項４７記載の開閉自在パウチ。
【請求項５５】
前記第１の閉止機構及び前記第２の閉止機構の各々は雄型閉止要素及び雌型閉止要素を備え、前記第１の袋壁上の前記第１の閉止機構の前記第１の雌型閉止要素は前記第２の閉止機構の前記第２の雌型閉止要素に隣接し、前記第２の袋壁上の前記第１の閉止機構の前記第１の雄型閉止要素は前記第２の閉止機構の前記第２の雄型閉止要素に隣接する、請求項４７記載の開閉自在パウチ。
【請求項５６】
前記第１の雄型閉止要素は第１の閉止力で前記第１の雌型閉止要素と係合し、前記第２の雄型閉止要素は第２の閉止力で前記第２の雌型閉止要素と係合する、請求項４７記載の開閉自在パウチ。
【請求項５７】
総合閉止力が約０．２０〜約０．３０ポンドの範囲内である、請求項４７記載の開閉自在パウチ。
【請求項５８】
前記第１の雄型閉止要素が、縦方向の中心線に関して実質的に対称形である、請求項４７記載の開閉自在パウチ。
【請求項５９】
前記第２の雄型閉止要素が、縦方向の中心線に関して実質的に非対称形である、請求項４７記載の開閉自在パウチ。
【請求項６０】
前記第１の雌型閉止要素及び前記第２の雌型閉止要素が、縦方向の中心線に関して実質的に対称形である、請求項４７記載の開閉自在パウチ。
【請求項６１】
ファスナーテープであって、
第１の内面を含む第１のファスナーテープ部、及び第２の内面を含む第２のファスナーテープ部と、
第１の雄型閉止要素及び第１の雌型閉止要素を備える第１の閉止機構であって、前記第１の雌型閉止要素は第１及び第２の離間した脚部を有し、前記第１の雄型閉止要素及び前記第１の雌型閉止要素は前記第１の内面及び前記第２の内面からなる対向する面に配設される、第１の閉止機構と、
第２の雄型閉止要素及び第２の雌型閉止要素を備える第２の閉止機構であって、前記第２の雌型閉止要素は第３及び第４の離間した脚部を有し、前記第２の雄型閉止要素及び前記第２の雌型閉止要素は前記第１の内面及び前記第２の内面からなる対向する面に配設される、第２の閉止機構と、
を備え、
前記第１の雄型閉止要素はその端部から延びて前記第１の雌型閉止要素の前記脚部と係合する２つのフック部を含み、前記第２の雄型閉止要素はその端部から延びて前記第２の雌型閉止要素の前記脚部の一方と係合する１つのフック部のみを含む、
ファスナーテープ。
【請求項６２】
前記第１の閉止機構及び前記第２の閉止機構の各々は雄型閉止要素及び雌型閉止要素を備え、前記第１の内面上の前記第１の閉止機構の第１の雌型閉止要素は前記第２の閉止機構の第２の雄型閉止要素に隣接し、前記第２の内面上の前記第１の閉止機構の第１の雄型閉止要素は前記第２の閉止機構の第２の雌型閉止要素に隣接する、請求項６１記載のファスナーテープ。
【請求項６３】
前記第１の雄型閉止要素が、縦方向の中心線に関して実質的に対称形である、請求項６１記載のファスナーテープ。
【請求項６４】
前記第２の雄型閉止要素が、縦方向の中心線に関して実質的に非対称形である、請求項６１記載のファスナーテープ。
【請求項６５】
前記第１の雌型閉止要素及び前記第２の雌型閉止要素が、縦方向の中心線に関して実質的に対称形である、請求項６１記載のファスナーテープ。
【発明の詳細な説明】
【技術分野】
【０００１】
本発明は、開閉自在パウチのための閉止部に関し、特に、雄型閉止要素及び雌型閉止要素を備えた２つの閉止機構を含む、このような閉止部に関する。
【背景技術】
【０００２】
品物を保存するための熱可塑性袋は、一般的に、袋壁の対向する内面に配設された複数のプロファイルを備えた閉止機構を含む。具体的な例では、袋壁に２組のプロファイルが配設され、各組は雄型及び雌型の閉止要素を含む。
【０００３】
特許文献１は、袋の端部を選択的に開閉するための、袋に一体的に取り付けられた雄型及び雌型の再封可能なインターロッキング要素を有するプラスチック袋を開示している。この袋は、これらの要素の不用意な分離を防止するために、袋の開放端に沿った剛性を高めるための、袋と一体に形成され、再封可能要素の下に配設された一対の補強材リブを更に含む。
【０００４】
特許文献２は、第１の基部から垂直に延びる第１及び第２の雄型の矢形プロファイルを含むアセンブリを有する開閉自在袋を開示している。このアセンブリには、第２の基部から垂直に延び、第１及び第２の雄型プロファイルとそれぞれ係合する、第１及び第２の雌型Ｕ字形部材が更に含まれる。各雄型の矢形プロファイルは、そこから延び雌型プロファイルと係合する２つのプロングを含む。雌型プロファイルとそれぞれインターロックする際の第２の雄型プロファイルの開口力を増加させるために、第２の雄型プロファイルのプロングは、第１の雄型プロファイルのプロングより長くなっている。
【０００５】
特許文献３は、開閉自在パッケージのためのファスナーストリップを開示しており、このファスナーストリップは雄型及び雌型のプロファイルを含む。基部から反対側の雌型インターロッキング部材へと延びる少なくとも２つの雄型インターロッキング部材があり、ファスナーが一方の側から他方の側へと開き易いよう、各雄部材は非対称の矢形状を有する。プロファイルの一方又は両方は、その基部から延びる少なくとも１つの高圧縮材を含み、この高圧縮材は、対向するプロファイルの基部と接触して、インターロッキング部材を潰す又は変形させることなく、そのプロファイルの密封を可能にする。
【先行技術文献】
【特許文献】
【０００６】
【特許文献１】米国特許第３，６５６，１４７号明細書
【特許文献２】米国特許第６，１３８，３２９号明細書
【特許文献３】米国特許第６，１６７，５９７号明細書
【発明の概要】
【課題を解決するための手段】
【０００７】
本発明の一態様によれば、開閉自在パウチ（袋）は、第１及び第２の対向する袋壁を有する本体部を備え、各袋壁は内面を有する。第１の袋壁及び第２の袋壁の内面には、第１の閉止機構及び第２の閉止機構が配設される。これらの閉止機構は互いに平行であって、約０．１インチ（２．５４ｍｍ）〜０．３インチ（７．６２ｍｍ）の間隔で離間される。
【０００８】
本発明の別の態様によれば、開閉自在パウチは、第１及び第２の対向する袋壁を有する本体部を備え、各袋壁は内面を有する。第１の袋壁及び第２の袋壁の内面には第１の閉止機構及び第２の閉止機構が配設される。第１の閉止機構は、該第１の閉止機構の開閉時にカチっと鳴るような感触を提供すると共に開口力に対する第１の全体抵抗を更に提供し、第２の閉止機構は開口力に対する第２の全体抵抗を提供し、第２の全体抵抗は第１の全体抵抗より大きい。
【０００９】
本発明の一態様では、開閉自在パウチは、第１の袋壁及び第２の袋壁を有する本体部を備える。第１の閉止機構は、第１の雄型閉止要素及び第１の雌型閉止要素を含み、第１の雌型閉止要素は、第１及び第２の離間した脚部を有する。第１の雄型閉止要素及び第１の雌型閉止要素は、第１の袋壁及び第２の袋壁の対向する面に配設される。第２の閉止機構は、第２の雄型閉止要素及び第２の雌型閉止要素を含み、第２の雌型閉止要素は、第３及び第４の離間した脚部を有する。第２の雄型閉止要素及び第２の雌型閉止要素は、第１の袋壁及び第２の袋壁の対向する面に配設される。第１の雄型閉止要素は、その端部から延びて第１の雌型閉止要素の脚部と係合する２つのフック部を備え、第２の雄型閉止要素はその端部から延びて第２の雌型閉止要素の脚部の一方と係合する１つのフック部のみを備える。
【００１０】
本発明の更なる実施形態において、ファスナーテープは、第１のファスナーテープ部及び第２のファスナーテープ部を有する。第１のファスナーテープ部は第１の内面を含み、第２のファスナーテープ部は第２の内面を含む。第１の閉止機構は、第１の雄型閉止要素及び第１の雌型閉止要素を含み、第１の雌型閉止要素は、第１及び第２の離間した脚部を有する。第１の雄型閉止要素及び第１の雌型閉止要素は、第１の内面及び第２の内面の対向する面に配設される。第２の閉止機構は、第２の雄型閉止要素及び第２の雌型閉止要素を含み、第２の雌型閉止要素は、第３及び第４の離間した脚部を有する。第２の雄型閉止要素及び第２の雌型閉止要素は、第１の内面及び第２の内面の対向する面に配設される。更に、第１の雄型閉止要素はその端部から延びて第１の雌型閉止要素の脚部と係合する２つのフック部を含み、第２の雄型閉止要素はその端部から延びて第２の雌型閉止要素の脚部の一方と係合する１つのフック部のみを含む。
【００１１】
本発明の他の態様及び長所は、以下の詳細な説明及び添付の図面を考慮すれば明らかになろう。図面中、類似の要素には類似の参照番号を割り当てる。
【図面の簡単な説明】
【００１２】
【図１】本発明を組み込んだ開閉自在熱可塑性保存袋の立面図である。
【図２Ａ】図１の線２−２に概ね沿った部分拡大断面図である。
【図２Ｂ】本発明の別の実施形態を示す図２Ａと同様の図である。
【図３】本発明の別の実施形態を示す図２Ａと同様の図である。
【図４】本発明の別の実施形態を示す図２Ａと同様の図である。
【図４Ａ】本発明の更に別の実施形態を示す図２Ａと同様の図である。
【図４Ｂ】本発明の更に別の実施形態を示す図２Ａと同様の図である。
【図４Ｃ】本発明の更に別の実施形態を示す図２Ａと同様の図である。
【図４Ｄ】本発明の更に別の実施形態を示す図２Ａと同様の図である。
【図５】本発明の別の実施形態を示す図２Ａと同様の図である。
【図５Ａ】本発明の別の実施形態を示す図５と同様の図である。
【図５Ｂ】図５の部分拡大図である。
【図６】本発明を組み込んだ製袋装置の等角図である。
【図７】図６の装置の部分拡大等角図である。
【図８】図６及び図７の装置の拡大端面立面図である。
【図９】本発明を組み込んだファスナーテープを押し出し成形するための押出装置を線図で示す等角図である。
【図１０】本発明を組み込んだファスナーテープの拡大立面図である。
【発明を実施するための形態】
【００１３】
図１を参照すると、熱可塑性の保存袋２０の形態の開閉自在パウチは、互いに接合されて第１及び第２の袋壁２６、２８を形成する第１及び第２の本体部２２、２４を備える。第１及び第２の袋壁２６、２８は、第１及び第２の側部３０、３２それぞれと、及び底部３４と接合される。袋２０の最上部３６には開口部３５が配設される。袋２０の最上部３６には、第１及び第２の閉止機構３８ａ、３８ｂ、及び２つのリップ４０も配設される。第１の閉止機構３８ａは、第２の閉止機構３８ｂと最上部３６の上縁部４２との間に配置される。
【００１４】
図２Ｂを参照すると、閉止機構３８ａの雄型及び雌型の閉止要素又は閉止部４４ａ、４４ｂは、第１及び第２の本体部２２、２４の対向する内面又は表面４６、４８にそれぞれ配設されている。更に、図２Ｂの実施形態では、閉止機構３８ｂの雄型及び雌型の要素又は部分５０ａ、５０ｂは、内面又は表面４８、４６にそれぞれ配設されている。必須ではないが、好ましくは、閉止機構３８ａと閉止機構３８ｂとは平行であって、両者は、この機構が単一の閉止部として作用するという知覚を生じるのに十分に小さい距離だけ互いから離間される。更に、機構３８ａ、３８ｂは、閉止操作中にユーザの指が案内されるよう十分に離れて配置されるのが好ましい。一般的に、これらの結果は、機構３８ａ、３８ｂを、約０．１インチ（２．５４ｍｍ）〜０．３インチ（７．６２ｍｍ）の間隔、更に好ましくは約０．１５インチ（３．８１  ｍｍ）〜約０．２５インチ（６．３５ｍｍ）の間隔、最も好ましくは約０．２０インチ（５．０８ｍｍ）の間隔で離間することによって達成されるが、これとは異なる間隔を用いてもよい。
【００１５】
閉止要素又は閉止部４４、５０は、本願の譲受人が所有するガイガーら（Geiger, et al.）の米国特許第４，７５５，２４８号、ジークら（Ziekeet al.）の米国特許第４，７４１，７８９号、及び／又はポルキアら（Porchia et al.）の米国特許第５，０１２，５６１号（これらの開示を参照することにより本願明細書に組み込む）の教示に従った断面形状を有するのが好ましく、それに加えて／或いは、それらの教示に従って形成されてもよい。また、第１の閉止機構３８ａは第１の閉止特性を示し、第２の閉止機構３８ｂは第１の閉止特性とは異なる第２の閉止特性を示すのが好ましい。例えば、第１及び第２の閉止機構３８のいずれか又は両方は、袋の開口力に対する比較的低いレベルの抵抗を示してもよいが、袋が開閉される際に、カチっと鳴るような感触及び／又は音を示すために、高いレベルの変形を提供してもよい。更に、第１及び第２の閉止機構３８のいずれか又は両方は、低いレベルの変形を示してもよいが、袋の開口力に対する比較的高い全体抵抗（overall resistance）を提供してもよい。雄型閉止要素４４ａ、５０ａのいずれか又は両方は、その縦方向の中心線に関して対称形又は非対称形であってよく、雌型閉止要素４４ｂ、５０ｂのいずれか又は両方は、その縦方向の中心線に関して対称形又は非対称形であってよい。このように、例えば、閉止機構３８が、機構３８の一方の側に及ぼされる開口力に対して第１の抵抗を示し、機構３８の他方の側に及ぼされる開口力に対しては第２の異なる抵抗を示すように、第１及び第２の閉止機構３８のいずれか又は両方が非対称の構成を有してもよい。
【００１６】
特定の実施形態において、第１の閉止機構３８ａは、袋が開閉される際にカチっと鳴るような感触を生じるために、高い程度の変形を示す。第１の閉止機構３８ａは、本願の譲受人が所有するダイスら（Dais et al.）の米国特許第５，１４０，７２７号（その開示を参照することにより本願明細書に組み込む）の教示に従って作られるのが好ましい。更に、第２の閉止機構３８ｂは、開口力に対して比較的高い全体抵抗を提供する。更に、各閉止機構３８ａ及び３８ｂは、袋の内側（即ち、袋の底部３４と閉止機構３８との間の側）から及ぼされる開口力に対して第１の抵抗を示すと共に、閉止機構３８の反対側（即ち、上縁部４２と閉止機構３８と間の側）から及ぼされる開口力に対して第２のより低い抵抗を示す。この格差のある開口力特性は、上述のような雄型閉止要素４４ａ及び５０ａ、並びに／又は、雌型閉止要素４４ｂ及び５０ｂを非対称に構成することによって達成される。好ましい実施形態では、各閉止機構３８ａ、３８ｂは、上縁部４２と閉止機構３８との間の側に及ぼされる開口力に対して、実質的に同じ第１の抵抗を示す。更に、各閉止機構３８ａ、３８ｂは、袋の底部３４と閉止機構３８との間から生じる開口力に対して、実質的に同じ第２の抵抗を示す。この第２の抵抗は第１の抵抗より大きい。なお、袋の内側及び／又は閉止機構３８の反対側から生じる力に関しては、第１の閉止機構３８ａは、開口力に対して、第２の閉止機構３８ｂによって提供される抵抗と同じ又は異なる抵抗を提供してもよい。
【００１７】
更に、必要に応じて、閉止機構３８ａ及び３８ｂの両方、又は閉止機構３８ｂのみは、袋が開閉される際にカチっと鳴るような感触を生じるために、高い程度の変形を示してもよい。更に、３つ以上の閉止機構３８が設けられてもよく、これらの閉止機構３８はそれぞれ異なる又は同じ閉止特性を有し、これらの閉止機構は、ユーザによる袋の開閉を可能にするために単一ユニットとして協働する。
【００１８】
必要に応じて、図２Ａ、図３及び図４に示すように、内面又は表面４６、４８のいずれか又は両方の閉止機構３８ａ、３８ｂの間に、１つ以上のストリップ６０を設けてもよい（任意に、隣接する閉止要素に接触しなくてもよい）。ストリップ６０は着色されても又は着色されなくてもよく、構造に剛性を付加するものであってもよい。第１の実施形態によれば、雄型閉止要素４４ａ、雌型閉止要素５０ｂ、及び要素４４ａと要素５０ｂとの間に必要に応じて設けられるストリップ６０ａはピンクに着色されており、一方、雌型閉止要素４４ｂ及び雄型閉止要素５０ａは青に着色されている。表面４８上の閉止要素４４ｂと閉止要素５０ａとの間には、必要に応じて更なるストリップ６０ｂが設けられてもよく、青に着色されてもよい。ストリップ６０のサイズ及び形状は、所望の感触及び／又は剛性を得るために必要に応じて選択されてよい。
【００１９】
更に別の例では、必要に応じて設けられる各ストリップ６０は、単に、薄い着色コーティング（例えば、着色された熱可塑性物質の非常に薄い層、着色されたエポキシ、塗料の層等）で構成されてもよい。
【００２０】
図３は更に別の実施形態を示し、図面中、類似の参照番号は様々な実施形態に共通の構造物を示す。図３に示すように、雄型閉止要素４４ａ及び５０ａは内面又は表面４６に配設され、雌型閉止要素４４ｂ及び５０ｂは内面又は表面４８に配設されている。本実施例では、内面又は表面４６上の雄型要素４４ａと雄型要素５０ａとの間には、単一のストリップ６０ａが設けられる。それに加えて、又はそれとは別に、内面又は表面４８上の雌型閉止要素４４ｂと雌型閉止要素５０との間には、ストリップ６０ｂ（図３の破線で示す）が設けられてもよい。表面４６、４８のいずれか又は両方に、１つ以上の更なるストリップが設けられてもよい。必要に応じて、閉止機構及びストリップと共に他の構造が含まれてもよい。例えば、ユーザの指を案内する更なる補助として、１つ以上のガイドリブ（図示せず）を設けてもよい。更に、ストリップ６０の一部又は全て、及び／又は、他の構造は、閉止機構３８ａと閉止機構３８ｂとの間に配置されてもよく、又は、機構３８ａ、３８ｂの外側（即ち、図１に示すように上方又は下方）に配置されてもよい。
【００２１】
本願明細書に開示される任意の実施形態では、袋２０の内面４６、４８の閉止機構３８ａ及び３８ｂと袋２０の最上部３６との間に、１つ以上の把持用リブ７４が設けられてもよい。この把持用リブ７４は、袋の壁と一体に押し出し成形される。任意の数の把持用リブ７４を用いてよいが、ユーザの指による把持動作を容易にするために、隣接するリブ間にはスペースが必要である。好ましい実施形態では、袋の各リップ４０に約６又は７個の把持用リブ７４が設けられている。
【００２２】
図３に示すように、各雄型閉止要素４４ａ、５０ａは、それぞれ、矢形の係合部材８０、８２と基部部材８４、８６とを含む。各雌型閉止要素４４ｂ、５０ｂは、基部部材９４、９６にそれぞれ接合されたＣ形プロファイル（profile、外形）部材９０、９２をそれぞれ含む。基部部材８４，８６は係合部材８０、８２より僅かに広く、基部部材９４、９６は（図２Ａに示すような）Ｃ形プロファイル部材９０及び９２の端から端までの範囲より僅かに広い。これは、図２Ａの実施形態についても同様である。これらの両方の実施形態では、閉止機構３８を形成するために必要な樹脂は比較的少量である。実際に、単一の閉止機構を用いた標準的な袋の設計と比較しても、閉止要素３８を製造するために必要な樹脂の増加は最小限であると思われ、それでも、広い軌道の感触と、不用意な開口に対する優れた抵抗とを有する閉止部が得られる。
【００２３】
図４は、閉止機構３８ａ、３８ｂを閉止機構１３８ａ、１３８ｂによって置き換えた、本発明の更に別の実施形態を示す。機構１３８ａは雄型及び雌型閉止要素１４４ａ、１４４ｂを含み、機構１３８ｂは雄型及び雌型閉止要素１５０ａ、１５０ｂを含む。機構１３８ａと機構１３８ｂとは同一であるので、閉止機構１３８ａのみを詳述する。閉止機構１３８ａの雄型閉止要素１４４ａは、フランク側方部材１５６及び１５８と一体の基部１５４と、基部１５４から延びる矢形の係合部材１６０とを含む。雌型閉止要素１４４ｂは、基部１６２と、基部１６２から延びるＣ形プロファイル部材１６４とを含む。雌型閉止要素１４４ｂは、袋を閉止する際にユーザの指によって閉止要素に圧力が及ぼされると、雄型閉止要素１４４ａを受容するよう構成されている。部材１６０及び１６４が係合及び分離される際に、側方部材１５６及び１５８が部材１６０と共に移動するよう、側方部材１５６及び１５８は十分なサイズを有し且つ係合部材１６０に十分に近接している。側方部材１５６及び１５８の高さは係合部材１６０の高さより低く、係合部材１６０が雌型プロファイル部材１６４に係合する際、部材１５６及び１５８は雌型プロファイル部材１６４の先端１６８を越えて延びる。従って、このような時に、雌型プロファイル部材１６４の先端１６８は、側方部材１５６及び１５８と雄型係合部材１６０との間にある。
【００２４】
前述の実施例のように、雄型閉止要素１４４ａ、１５０ａは、同じ袋壁上又は異なる袋壁上に配置されてよく、雌型閉止要素１４４ｂ、１５０ｂも同様である。
【００２５】
図３と図４とを比較すれば明らかなように、図３の基部部材８４、８６、９４及び９６は、それぞれ細長い部材１８０、１８２、１８４、１８６によって置き換えられ、よって、閉止機構１３８ａ、１３８ｂを製造するには、閉止機構３８ａ、３８ｂよりも多くの樹脂が必要である。しかしながら、細長い部材１８０〜１８６は、袋を閉止する際のユーザの指に対する案内を更に高める。前述の実施形態に関して述べたように、ストリップ６０と同一又は類似の１つ以上のストリップ１８７が設けられてもよい。
【００２６】
所望であれば、本願明細書に記載する任意の実施形態において、隣接する閉止要素は、フィルムウェブによって相互接続されてもよい。このように、例えば、図４Ａは図２Ａの実施形態の変形例を示しており、ここでは、要素４４ｂ及び５０ａと一体に又は別に押し出し成形されるウェブ１８８ａによって、雌型閉止要素４４ｂが雄型閉止要素５０ａと相互接続されている。更に、要素４４ａ、５０ｂと一体に又は別に押し出し成形されるウェブ１８８ｂによって、雄型閉止要素４４ａが雌型閉止要素５０ｂと相互接続されてもよい。図４Ｂは、図３の実施形態との関連において同じ特徴を示す。即ち、図４Ｂでは、雌型閉止要素４４ｂ及び５０ｂはウェブ１８８ｃによって相互接続され、一方、雄型閉止要素４４ａ及び５０ａはウェブ１８８ｄによって相互接続されている。
【００２７】
任意に、図４Ａ及び図４Ｂでは、閉止要素４４、５０、及び／又はウェブ１８８ａ〜１８８ｄは、同じ又は異なる視覚的特性を有してもよい。適切な視覚的特性には、視覚的な材料特性（例えば、透明性、半透明性、又は不透明性、染料や他の適切な着色剤による透明、半透明、又は不透明材料の着色、マークの印刷やエンボシング等）が含まれる。例えば、ウェブ１８８ａの一部又は全部が第１の視覚的特性（例えばピンクの着色）を有してもよく、ウェブ１８８ｂの一部又は全部が第２の異なる視覚的特性（例えば青い着色）を有してもよい。更に、図４Ａの実施形態を例とすると、閉止要素４４ａ及び５０ｂの一方又は両方の一部又は全部が、ウェブ１８８ｂ又は１８８ａと同じ又は異なる視覚的特性を有してもよい。ウェブ１８８ａ又は１８８ｂの視覚的特性に対する閉止要素４４ｂ、５０ａについても同様であってよい。閉止要素４４ａ、４４ｂと５０ａ、５０ｂとがそれぞれ嵌合される際に、例えばピンク及び青の着色（これらの色が用いられる場合）といった第１及び第２の視覚的特性は、ブレンドされて単一の視覚的特性（例えば紫の着色）を形成し、これにより、閉止要素が完全に閉止されていることが示される。所望であれば、閉止要素４４ｂ、５０ａと４４ａ、５０ｂとの間にそれぞれ介在するウェブ１８８ａ、１８８ｂの中心部分（又は、ウェブ１８８ｃ、１８８ｄの対応する中間部）は、閉止要素４４、５０が塞がれる際にこのような部分が互いに接触するよう、肉厚になっていてもよい。これにより、色の変化の効果を強調することができると共に、閉止を触覚的に確認できる。上記に加えて、任意のウェブが、エンボシング、より肉厚の感触、又はクッションの感触を含むがこれらに限定されない、任意の触覚的特性を含んでもよい。或いは、閉止要素４４、５０並びに／又はウェブ１８８ａ〜１８８ｄの長さに沿った断続的な部分が、任意の視覚的又は触覚的特性を有してもよい。例えば、図４Ｂの実施形態を参照すると、ウェブ１８８ｃは、その長さに沿って（即ち、袋２０の端から端まで）個別の部分によって形成されたピンクの着色から成る視覚的特性を有する第１の交互パターンを有してもよく、ピンクの部分の間には、ウェブ１８８ｃの異なる視覚的特性を有する残りの部分（例えば半透明の無色（即ち、クリア）部分）が介在してもよい。更に、ウェブ１８８ｄは、ウェブ１８８ｃの第１のピンクの及びクリア（又は他の視覚的特性）の交互パターンに対して少なくとも部分的に位相を異にして配置される、ピンク及びクリア（又は他の視覚的特性）の部分の第２の交互パターンを有してもよい。必須ではないが、好ましくは、第１の交互パターンは規則的な（即ち、ピンク部分は全て実質的に同じ第１の長さを有し、残りのクリア部分は全て実質的に同じ第２の長さを有し、第１の長さと第２の長さは等しい又は等しくない）パターンであり、第２の交互パターンは第１の交互パターンと同一であるが、第１の交互パターンに対して１８０度変位される。閉止要素４４ａ、４４ｂと閉止要素５０ａ、５０ｂとが適切に嵌合されると、ウェブ１８８ｃ、１８８ｄのピンク及びクリア（又は他の視覚的特性）が交互する部分が合わさって実質的に同一色（又は他の視覚的特性）の実質的に完全な線を形成し、これにより閉止要素が閉止されていることが示される。以上から明らかなように、閉止要素４４、５０を少なくとも部分的に塞ぐ際の視覚的な指標を与える補助となるよう、ウェブ１８８及び／又は閉止要素４４、５０の任意のものの任意の部分が異なる色、透明、半透明、又は不透明の材料や印刷されたマークを含む任意の視覚的特性を有してよく、対向するウェブ及び／又は閉止要素４４、５０が同じ視覚的特性又は異なる視覚的特性を有してよい。
【００２８】
図４Ｃ及び図４Ｄに示すように、ウェブ２８８ａ〜２８８ｄも、閉止要素４４ａ、４４ｂ、５０ａ及び５０ｂの間に介在し且つそれらとは別に、本体部２２、２４上に別途押し出し成形されてもよい。図４Ａ及び図４Ｂに関して上述した任意の実施形態は、図４Ｃ及び図４Ｄに示される構成をとることも可能である。ウェブ２８８ａ〜２８８ｄは、熱可塑性材料やフォーム材料を含むがこれらに限定されない任意の材料で作られてよい。例えば、図４Ｃでは、ウェブ２８８ａは半透明の青い着色等の第１の視覚的特性を有してもよく、ウェブ２８８ｂは半透明の黄色の着色等の第２の視覚的特性を有してもよい。閉止要素４４ａ、４４ｂと閉止要素５０ａ、５０ｂとがそれぞれ嵌合されると、青及び黄色の着色がブレンドされて緑色のような視覚的特性を形成し、これにより、閉止要素４４ａ、４４ｂと５０ａ、５０ｂとが完全に閉止されていることが示される。更に、図４Ｄにおいて、ウェブ２８８ｃの断続的な部分は例えば白い着色等の任意の視覚的特性を有してもよく、白及びクリア部分が交互する第３の規則的又は不規則な交互パターンを形成してもよい。ウェブ２８８ｄの断続的な部分は、白い着色を含む視覚的特性を有してもよく、白及びクリア部分が交互する第４の規則的又は不規則なパターンを形成してもよい。好ましくは（但し必須ではない）、第３のパターンは第４のパターンと同一であるが、第４のパターンに対して１８０度変位される。前述の実施形態と同様に、閉止要素４４ａ、４４ｂと閉止要素５０ａ、５０ｂとが嵌合されると、ウェブ部分２８８ｃ、２８８ｄの交互する部分が一列に並んで視覚的特性の完全な線（本実施形態では連続した白線）を形成し、これにより、閉止要素が閉止されていることが示される。また、前述の実施形態と同様に、閉止要素４４，５０が適切に嵌合された際の色の変化を強調するために、ウェブ２８８ｃ、２８８ｄの厚さは、ウェブ２８８ｃ、２８８ｄが少なくとも部分的に互いに接触するようになっていてもよい。
【００２９】
上述したように、ウェブ１８８ａ〜１８８ｄ又は２８８ａ〜２８８ｄの任意のものは、そこに印刷されたマークを含む視覚的特性を有してもよい。例えば、第１のウェブは、例えば、その内面に印刷された「閉（closed）」という言葉を含む、印刷されたマークを有するクリアな材料で構成されてもよく、対向する第２のウェブは、クリアな材料で構成された視覚的特性を有してもよい。閉止機構がそれぞれ嵌合すると、第２のウェブを通して「閉」という言葉が現れ、閉止機構が完全に閉止されていることが示される。或いは、「閉」等の言葉は、第１及び第２のクリアなウェブの内面の横方向に離間した位置に印刷されてもよく、この場合、閉止機構がそれぞれ適切に嵌合されると、第１のウェブ及び第２のウェブを通して「閉」という言葉が横方向に離間した位置にはっきりと現れ、閉止機構が完全に閉止されていることが示される。印刷されたマークは言葉に限定されず、任意の数字、パターン、デザイン等が含まれ得る。
【００３０】
図５は本発明の更に別の実施形態を示し、ここでは、閉止機構３８ａ、３８ｂは、それぞれ第１及び第２の閉止機構２３８ａ、２３８ｂによって置き換えられている。第１の閉止機構２３８ａは、第１の雄型閉止要素２４４ａ及び第１の雌型閉止要素２４４ｂを含む。図５に示されるように、第１の雄型及び雌型閉止要素２４４ａ、２４４ｂは、中心線２４６に関して実質的に対称形である。第１の雄型閉止要素２４４ａは、基部２４８ａから延びる２つのフック部２５１ａ、２５１ｂを有する係合部材２５０を含む。第１の雌型閉止要素２４４ｂは基部２４８ｂを含み、基部２４８ｂからは第１の離間した脚部２５２及び第２の離間した脚部２５４が延びている。第１の雌型閉止要素２４４ｂは、袋を閉じる際にユーザの指によって閉止要素に圧力が及ぼされると、第１の雄型閉止要素２４４ａを受容するよう構成される。好ましい実施形態では、第２の閉止機構２３８ｂは、第２の雄型閉止要素２５６ａ及び第２の雌型閉止要素２５６ｂを含む。この実施形態では、第１の閉止機構２３８ａの第１の雌型閉止要素２４４ｂは、第２の閉止機構２３８ｂの第２の雌型閉止要素２５６ｂと実質的に又は完全に同一である。従って、第２の雌型閉止要素２５６ｂは基部２５８ｂを含み、基部２５８ｂからは第３の離間した脚部２６０及び第４の離間した脚部２６２が延びている。第２の雌型閉止要素２５６ｂも、袋を閉じる際にユーザの指によって閉止要素に圧力が及ぼされると、第２の雄型閉止要素２５６ａを受容するよう構成される。第２の雄型閉止要素２５６ａは、基部２５８ａから延びる１つのフック部２６５のみを含む係合部材２６４含む。自明であるが、第２の雄型閉止要素２５６ａは、縦方向の中心線２６６に関して実質的に非対称形である。図５に示されるように、第１の袋壁２６上において、第１の閉止機構２３８ａの第１の雌型閉止要素２４４ｂは、第２の閉止機構２３８ｂの第２の雄型閉止要素２５６ａと隣接している。第１の袋壁２６上において、第１の雌型閉止要素２４４ｂは、第２の雄型閉止要素２５６ａよりもパウチの上縁部４２に近い位置に配置されている。更に、第２の袋壁２８上において、第１の閉止機構２３８ａの第１の雄型閉止要素２４４ａは、第２の閉止機構２３８ｂの第２の雌型閉止要素２５６ｂと隣接している。第２の袋壁２８上において、第１の雄型閉止要素２４４ａは、第２の雌型閉止要素２５６ｂよりもパウチの上縁部４２に近い位置に配置されている。図５Ａに示される別の実施形態では、第１の袋壁２６上において、第１の閉止機構２３８ａの第１の雌型閉止要素２４４ｂは、第２の閉止機構２３８ｂの第２の雌型閉止要素２５６ｂに隣接しており、一方、第２の袋壁２８上において、第１の閉止機構２３８ａの第１の雄型閉止要素２４４ａは、第２の閉止機構２３８ｂの第２の雄型閉止要素２５６ａに隣接している。
【００３１】
好ましい実施形態では、第１の閉止機構２３８ａは、その各閉止要素２４４ａ、２４４ｂを第１の開口力で分離することによって開放され、第２の閉止機構２３８ｂは、その各閉止要素２５６ａ、２５６ｂを第２の開口力で分離することによって開放される。第１及び第２の開口力は、それぞれ内部及び外部の開口力で構成される。一実施形態では、第１の雄型閉止要素２４４ａは、第１の外部開口力によって第１の雌型閉止要素２４４ｂから分離し、第２の雄型閉止要素２５６ａは、第２の外部開口力によって第２の雌型閉止要素２５６ｂから分離する。第１及び第２の外部の力は、パウチの内側から閉止機構２３８ａ、２３８ｂに作用する内部の突然開口する力（bursting force）ではなく、実質的に、袋の上縁部４２に近い側から及ぼされる。好ましい実施形態では、第１の閉止機構２３８ａは、第１の外部開口力が第２の外部開口力よりも大きくなるように、袋の外部開口力を主に決定する。この力の差は、第１の閉止機構２３８ａの第１の雄型閉止要素２４４ａがフック部２５１ａを有するのに対して、第２の雄型閉止要素２４４ａには対応する位置の（即ち、上縁部４２に向かう）フック部が無いことから生じる。係合部材２６４の（上縁部４２に向かう）対向する側の余分な部分をなくすことにより、袋２０を開く際に、第２の雌型閉止要素２５６ｂが第２の雄型閉止要素２５６ａの周囲で撓みにくくなる。第２の閉止機構２３８ｂの撓みを減らすことにより、外部開口力が第１の閉止機構２３８ａによって示されるよりも低くなる。更に、図５Ｂに示されるように、第２の雄型閉止要素２５６ａは、係合部材２６４の根元部２６８の厚さＡと、フック部２６５の最も広い部分の厚さＢとを有する。好ましい実施形態では、厚さＡと厚さＢは実質的に等しい。或いは、厚さＢを増加させることにより、閉止機構２３８ｂが生じさせる外部開口力を増加させることができる。
【００３２】
他の実施形態と同様に、図５に示される実施形態は２つの閉止機構を含み、第１の閉止機構２３８ａは第１の閉止特性を示し、第２の閉止機構２３８ｂは第２の閉止特性を示す。第２の閉止特性は、第２の閉止機構２３８ｂの第１の側に加えられる外部開口力に対する第１の抵抗と、第２の閉止機構２３８ｂの第２の側に加えられる内部開口力に対する第２の抵抗とを含むのが好ましい。上述したように、好ましくは、第２の雄型閉止要素２５６ａは袋２０の内側に向いた１つのフック部２６５のみを含むので、第２の閉止機構２３８ｂは非常に低い外部開口力を有する。従って、第２の閉止機構２３８ｂは、外部開口力よりも内部の突然開口する力に対する耐性がある。第１の閉止機構２３８ａは、事実上、袋２０の外部開口力を制御し、一方、第２の閉止機構２３８ｂは、袋２０の内側から及ぼされる突然開口する力に対する抵抗を主に決定する。
【００３３】
本発明の更に別の実施形態では、第１の閉止機構２３８ａは、袋を開閉する際にカチっと鳴るような感触及び／又は音を示す。このようなカチっと鳴るような感触は、第１の閉止機構２３８ａに高いレベルの変形を生じさせることによって作り出される。第１及び雌型閉止要素２４４ａ、２４４ｂは、同じく高いレベルの変形を生じる図２Ａ及び２Ｂに特徴付けられる実施形態と類似の構造であってもよい。
【００３４】
自明であるが、第１の雄型閉止要素２４４ａは第１の閉止力で第１の雌型閉止要素２４４ｂと係合し、第２の雄型閉止要素２５６ａは第２の閉止力で第２の雌型閉止要素２５６ｂと係合する。一実施形態では、第１の閉止力は第２の閉止力よりも大きい。別の実施形態では、第２の閉止力は第１の閉止力よりも大きい。更に別の実施形態は、ほぼ等しい第１及び第２の閉止力を有する。例えば、厚さが６４ミル（１．６ｍｍ）のファスナーでは、第１の閉止機構２３８ａの平均閉止力は０．１５ポンド（０．０７キログラム）であり、第２の閉止要素２３８ｂの平均閉止力は０．０５ポンド（０．０２キログラム）であり、機構２３８ａ、２３８ｂを組み合わせた総合閉止力は０．２０ポンド（０．０９キログラム）であった。ファスナーの厚さを７５ミル（１．９ｍｍ）に増やすと、第１の閉止機構２３８ａの平均閉止力は０．１８ポンド（０．０８キログラム）であり、第２の閉止要素２３８ｂの平均閉止力は０．０６ポンド（０．０３キログラム）であり、機構２３８ａ、２３８ｂを組み合わせた総合閉止力は０．２４ポンド（０．１１キログラム）であった。第１及び第２の閉止機構２３８ａ、２３８ｂの総合閉止力は、約０．１０〜０．４５ポンド（０．０５〜０．２０キログラム）の範囲内であるのが好ましく、約０．１５〜０．３５ポンド（０．０７〜０．１６キログラム）の範囲内であるのがより好ましく、約０．２０〜約０．３０ポンド（０．０９〜０．１４キログラム）の範囲内であるのが最も好ましい。総合閉止力を最も好ましい範囲内とすることにより、従来の単一閉止機構袋と同様の総合閉止力を有する二重閉止機構袋が可能になる。本実施形態は、かなり強い二重閉止機構袋を可能にする一方で、ユーザが広い軌道の感触を有する単一閉止機構袋を用いているかのように「感じる」ことも可能にする。
【００３５】
本願明細書に記載する開閉自在熱可塑性保存袋は、キャスト・ポストアプライド（castpost applied）プロセス、キャスト一体成形プロセス、ブローンプロセス、又は当該技術分野で周知の他の任意のプロセス等といった、任意の適切な製袋プロセスで製造可能である。なお、閉止機構及びストリップの形成に用いられる押し出しダイは、このような構造を形成するのに適した数のプロファイル板を含まなければならない。更に、各雌型閉止要素と関連付けて、押し出し成形中の部材を開口させるために、各Ｃ形雌型プロファイル部材の開口部に空気を吹き込む空気ノズルが設けられてもよい。更に、押し出し成形された雄型閉止要素及び雌型閉止要素を冷却するための、１つ以上の冷却水噴射装置が設けられてもよい。
【００３６】
所望であれば、本願明細書に開示される任意の袋を製造するために、図６及び図７に示されるような、別のポストアプライド・プロセスを用いることもできる。このような図を参照すると、別のポストアプライド・プロセスは、第１の押し出しスロットダイ３００、温度制御された従動キャスティングロール３０２、縁部固定デバイス又は装置３０４ａ、３０４ｂ、エアナイフ３０６、第２及び第３の押し出しダイ３０８ａ、３０８ｂ（これらは線図で示されており、ダイ３００と共に押し出し装置を構成する）、及び吹き出し装置３１０ａ、３１０ｂを備える押し出し装置を用いる。押し出しダイ３００は、押し出し成形機（図示せず）から溶融した熱可塑材を受け取り、熱可塑材をウェブ３１２としてシート状にキャスティングロール３０２に付着させる。押し出しダイ３００は、得られたウェブ３１２の縁部３１８ａ、３１８ｂの外側の肉厚領域３１４、３１６と、肉厚領域３１４、３１６の間にある比較的薄い部分３２０とを形成するスロット開口部（図示せず）を含む。縁部３１８ａ、３１８ｂは、それぞれ縁部固定装置３０４ａ、３０４ｂによってキャスティングロール３０２に固定される。次に、ウェブ３１２は、その全幅にわたり（即ち、全体的に）、エアナイフ３０６によってキャスティングロール３０２に固定される。
【００３７】
ウェブ３１２がキャスティングロール３０２に固定されたら、ウェブ１００上に雄型及び雌型閉止要素４４、５０、又は１４４、１５０が形成される。押し出しダイ３０８ａ、３０８ｂは、別の押し出し成形機から溶融した熱可塑材を受け取って、肉厚領域３１４、３１６上に雄型及び雌型閉止要素４４、５０、又は１４４、１５０を押し出し成形するのが好ましい。或いは、別個の押し出しダイ３０８ａ、３０８ｂを、雄型及び雌型閉止要素４４、５０、又は１４４、１５０が同時に肉厚領域３１４、３１６上に押し出し成形される２つの出口を有する単一の押し出しダイと置き換えてもよい。更に別の例として、各押し出しダイ３０８ａ、３０８ｂを、閉止要素４４、５０、又は１４４、１５０、及びストリップ６０、１８７を個別に押し出し成形する２つ以上の押し出しダイと置き換えてもよい。いずれにしても、図８に示されるように、各ダイ３０８の正面３２２の角度は、少なくとも最初は、キャスティングロール３０２の中心から延びる水平な径方向の線３２４と略平行に配置される。次に、ダイ３０８（又は、個別のダイを用いる場合には各ダイ３０８ａ、３０８ｂ）の位置を、ダイを（図８では）上下左右に動かすことによって調整してもよく、又は、所望の結果が得られるようダイ正面３２２の角度を調整するために、ダイを傾けてもよい（即ち、角度的に変位する）。ダイ３０８によって形成された閉止要素４４、５０、又は１４４、１５０は、キャスティングロール３０２のウェブ３１２が最初に付着される側でキャスティングロール３０２の表面と交差する垂直な接線３２６（図８）と一致する位置で、ダイ３０８から出てもよい。或いは、ダイ３０８によって形成された閉止要素４４、５０、又は１４４、１５０は、（図８に示されるように）接線３２６から右又は左にずれた位置で、ダイ３０８から出てもよい。押し出し成形物が線３２６から右にずれた位置でダイ３０８から出る場合には、製造開始時に押し出し成形物の流れをキャスティングロール３０２に付着させるための何らかの装置を設けなければならない。その後で製造を開始でき、（ダイ３０８の出口が接線３２６から右に離れ過ぎていない限り）押し出し成形の流れの溶融張力によって流れがロール３０２に接触する。
【００３８】
ダイ３０８からの溶融した熱可塑材がウェブ３１２に付着したら、閉止要素４４、５０、又は１４４、１５０の温度を、閉止要素４４、５０、又は１４４、１５０を形成する熱可塑性材料の融点よりできるだけ迅速に下げるために、冷却剤装置（図示せず）によって、閉止要素４４、５０、又は１４４、１５０に冷却剤が適用される。冷却剤は、水又は他の任意の適切な冷却液を含むのが好ましく、閉止要素４４、５０、又は１４４、１５０のウェブ３１２への付着力が最適化されるように、冷却剤は、閉止要素４４、５０、又は１４４、１５０の材料がウェブ３１２の材料に接触した後にのみ、閉止要素４４、５０、又は１４４、１５０の材料に適用されるのが好ましい。ウェブ３１２及び閉止要素４４、５０、又は１４４、１５０が更に冷却されるように、ウェブ３１２及び閉止要素４４、５０、又は１４４、１５０は、ロール３０２が回転される時間だけ、温度制御されたキャスティングロール３０２との接触が保たれる。キャスティングロール３０２は、ウェブ３１２及び閉止要素４４、５０又は１４４、１５０を形成する熱可塑性材料の融点より低い温度（一般的には約２０〜８０℃）に保たれるべきである。
【００３９】
所望であれば、製袋プロセスにおいてフィルムに後でポストアプライされる（post-applied）ファスナーテープを形成するために、上述の実施形態の閉止要素及び／又はストリップ及び／又は他の関連構造物の任意のものを、フランジの内面上に一体に又は別に押し出し成形できる。例えば、図９に示されるように、ファスナーテープは、第１のファスナーテープ部４００及び第２のファスナーテープ部４０２を含み、これらは、押し出しダイ４０４によって水槽４０６中に個別に押し出し成形されてもよい。所望であれば、この目的で２つ以上の押し出しダイを用いてもよい。ファスナーテープ部４００、４０２は、水槽３０６中においてプーリ又はローラ４０８、４１０の周りにそれぞれ延び、更なるプーリ又はローラ４１２、４１４及び水槽４０６の外のプーリ又はローラ４１６、４１８の周りに更に延びてもよい。その後、ファスナーテープ部４００、４０２は、ファスナーテープ部から水を除去する脱水ステーション４２０を通過してもよく、部分４００、４０２はニップローラ４２２によって接合されてもよい（即ち、塞がれる）。その後、塞がれた部分４００、４０２は、スプール又はリール上に巻かれて保管されもよく、又は、塞がれた部分４００、４０２は、ライン上の製袋装置に直接送られ、そこで袋のフィルムにラミネート又は別様で固定されてもよい。
【００４０】
図１０を参照すると、第１のファスナーテープ部４００は、第１の内面４３０と、第１の内面４３０に固定された閉止要素４４４ｂ及び４５６ａとを含む。第２のファスナーテープ部４０２は、第２の内面４３２と、第２の内面４３２に固定された閉止要素４４４ａ及び４５６ｂとを含む。閉止要素４４４ｂ、４５６ａ、４４４ａ、及び４５６ｂは、それぞれ上述の閉止要素２４４ｂ、２５６ａ、２４４ａ、及び２５６ｂと類似又は同一であってよい。一部の実施形態では、ファスナーテープは、最終的に袋の上部を形成する領域では比較的厚くてもよく、ファスナーテープがフィルムに接合される領域では比較的薄くてもよい。また、最終的に袋の最上部を形成する領域には把持用ストリップ（図示せず）が形成されてもよい。
【産業上の利用可能性】
【００４１】
本願明細書に記載したパウチは、単一閉止機構パウチと類似の開放及び閉止力特性を有する二重閉止機構パウチを用いることを可能にするという長所を有する。従って、開閉効率が高まり、ユーザの努力の無駄が最小限になる。
【００４２】
更に、本発明のパウチは、パウチの開閉の聴覚的及び触覚的フィードバックを提供できる。更に、本パウチは、複数の異なる閉止特性を提供できると共に、パウチの不用意な開放に対するより高い安全性を提供できる。閉止機構間の距離を所望に応じて変更できると共に、雄型閉止要素及び雌型閉止要素をどちらの壁に設けてもよく、雄型閉止要素と雌型閉止要素との間にストリップを設けてもよく又は設けなくてもよい。所望に応じて、閉止機構の間又は外側に他の構造物を設けてもよい。
【００４３】
上記説明から、当業者には多くの変形が自明である。よって、この記載は、説明のみを目的とするものと解釈されるべきであり、当業者による本発明の製造及び使用を可能にする目的で、本発明を実施する最良の形態を教示するために呈示される。添付の特許請求の範囲内に含まれる全ての変形に対する独占権を留保する。
【図１】
2011063318.tif 000003
【図２Ａ】
2011063318.tif 000004
【図２Ｂ】
2011063318.tif 000005
【図３】
2011063318.tif 000006
【図４】
2011063318.tif 000007
【図４Ａ】
2011063318.tif 000008
【図４Ｂ】
2011063318.tif 000009
【図４Ｃ】
2011063318.tif 000010
【図４Ｄ】
2011063318.tif 000011
【図５】
2011063318.tif 000012
【図５Ａ】
2011063318.tif 000013
【図５Ｂ】
2011063318.tif 000014
【図６】
2011063318.tif 000015
【図７】
2011063318.tif 000016
【図８】
2011063318.tif 000017
【図９】
2011063318.tif 000018
【図１０】
2011063318.tif 000019
【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
第１及び第２の対向する袋壁を有する本体部であって、各袋壁が内面を有する本体部と、
第１の雄型閉止要素及び第１の雌型閉止要素を備える第１の閉止機構であって、前記第１の雌型閉止要素は、第１の基部部材と、該第１の基部部材の両端部より内側から延びる第１及び第２の離間した脚部と、を有し、前記第１の雄型閉止要素及び前記第１の雌型閉止要素は前記第１の袋壁及び前記第２の袋壁からなる対向する面に配設され、第１の閉止特性を示す、第１の閉止機構と、
第２の雄型閉止要素及び第２の雌型閉止要素を備える第２の閉止機構であって、前記第２の雌型閉止要素は、第２の基部部材と、該第２の基部部材の両端部より内側から延びる第３及び第４の離間した脚部と、を有し、前記第２の雄型閉止要素及び前記第２の雌型閉止要素は前記第１の袋壁及び前記第２の袋壁からなる対向する面に配設され、前記第１の閉止特性とは異なる第２の閉止特性を示す、第２の閉止機構と、
を備え、
前記第１の雄型閉止要素はその端部から延びて前記第１の雌型閉止要素の前記脚部と係合する２つのフック部を備え、
前記第２の雄型閉止要素はその端部から延びて前記第２の雌型閉止要素の前記脚部の一方のみと係合する１つのフック部のみを備え、
前記第１の閉止機構及び前記第２の閉止機構は、前記第１及び第２の袋壁の前記内面に配設され、互いに平行であり且つ０．１インチ（２．５４ｍｍ）〜０．３インチ（７．６２ｍｍ）の間隔で離間されている、
開閉自在パウチ。
【請求項２】
前記第１の閉止特性又は第２の閉止特性は前記パウチが閉じる際のカチっと鳴るような感触を含む、請求項１記載のパウチ。
【請求項３】
前記第１の閉止特性又は第２の閉止特性は、前記第２の閉止機構の一方の側に加えられる開口力に対する第１の抵抗と、前記第２の閉止機構の他方の側に加えられる開口力に対する第２の抵抗とを含み、前記第１の抵抗は前記第２の抵抗より大きい、請求項１記載のパウチ。
【請求項４】
前記第１の閉止機構は、開口力に対する第１の全体抵抗を示し、前記第２の閉止機構は、開口力に対する第２の全体抵抗を示し、前記第１の全体抵抗は前記第２の全体抵抗とは異なる、請求項１記載のパウチ。
【請求項５】
前記第１の全体抵抗が前記第２の全体抵抗より大きい、請求項４記載のパウチ。
【請求項６】
前記第１の全体抵抗が前記第２の全体抵抗より小さい、請求項４記載のパウチ。
【請求項７】
前記第１の閉止機構が、前記第２の閉止機構よりも前記パウチの最上部の近くに配置される、請求項１記載のパウチ。
【請求項８】
前記第２の閉止機構が、前記第１の閉止機構よりも前記パウチの最上部の近くに配置される、請求項１記載のパウチ。
【請求項９】
前記第１の袋壁及び第２の袋壁の一方の上の前記閉止機構間に配設される補剛部材を更に備える、請求項１記載のパウチ。
【請求項１０】
前記第１の閉止機構及び前記第２の閉止機構が、０．１５インチ（３．８１ｍｍ）〜０．２５インチ（６．３５ｍｍ）の間隔で離間される、請求項１記載のパウチ。
【請求項１１】
前記第１の閉止機構及び前記第２の閉止機構が、０．２インチ（５．０８ｍｍ）の間隔で離間される、請求項１記載のパウチ。
【請求項１２】
前記第１の閉止機構及び前記第２の閉止機構を相互接続する少なくとも１つのウェブを更に備える、請求項１記載のパウチ。
【請求項１３】
前記第１の閉止機構と前記第２の閉止機構との間に配設される第１のウェブ及び第２のウェブを更に備える、請求項１記載のパウチ。
【請求項１４】
前記第１のウェブは第１の視覚的特性を備える、請求項１３記載のパウチ。
【請求項１５】
前記第２のウェブは、前記第１の視覚的特性とは異なる第２の視覚的特性を備える、請求項１４記載のパウチ。
【請求項１６】
前記第１のウェブ及び前記第２のウェブの少なくとも一方が触覚的特性も備える、請求項１５記載のパウチ。
【請求項１７】
前記第１のウェブ及び前記第２のウェブの少なくとも一方がフォーム材である、請求項１５記載のパウチ。
【請求項１８】
前記第１のウェブは、前記第１のウェブの長さに沿って別個の部分によって形成される第１の交互パターンを有する断続的な部分を含む、請求項１３記載のパウチ。
【請求項１９】
前記第１のウェブの前記断続的な部分は第１の視覚的特性を備え、前記ウェブの残りの部分は第２の視覚的特性を備える、請求項１８記載のパウチ。
【請求項２０】
前記第２のウェブは、前記第２のウェブの長さに沿って別個の部分によって形成される第２の交互パターンを有する断続的な部分を含む、請求項１９記載のパウチ。
【請求項２１】
前記第２のウェブの前記断続的な部分は第１の視覚的特性を備え、前記ウェブの残りの部分は第２の視覚的特性を備える、請求項２０記載のパウチ。
【請求項２２】
前記第１の交互パターンは規則的であり、前記第２の交互パターンは前記第１の交互パターンと同一であるが１８０度変位される、請求項２１記載のパウチ。
【請求項２３】
前記第１の袋壁上の前記第１の閉止機構の前記雌型閉止要素は前記第２の閉止機構の前記雄型閉止要素に隣接し、前記第２の袋壁上の前記第２の閉止機構の前記雌型閉止要素は前記第１の閉止機構の前記雄型閉止要素に隣接する、請求項１記載のパウチ。
【請求項２４】
前記第１の閉止機構の前記雌型閉止要素と前記第２の閉止機構の前記雄型閉止要素との間にストリップが配設される、請求項２３記載のパウチ。
【請求項２５】
前記第２の閉止機構の前記雌型閉止要素と前記第１の閉止機構の前記雄型閉止要素との間に更なるストリップが配設される、請求項２４記載のパウチ。
【請求項２６】
前記第１の閉止機構の前記雌型閉止要素と前記第２の閉止機構の前記雄型閉止要素とがウェブで相互接続される、請求項２３記載のパウチ。
【請求項２７】
前記第２の閉止機構の前記雌型閉止要素と前記第１の閉止機構の前記雄型閉止要素とが更なるウェブで相互接続される、請求項２４記載のパウチ。
【請求項２８】
前記第１の袋壁上の前記第１の閉止機構の前記雌型閉止要素は前記第２の閉止機構の前記雌型閉止要素に隣接し、前記第２の袋壁上の前記第２の閉止機構の前記雄型閉止要素は前記第１の閉止機構の前記雄型閉止要素に隣接する、請求項１記載のパウチ。
【請求項２９】
前記第１の閉止機構の前記雌型閉止要素と前記第２の閉止機構の前記雌型閉止要素との間にストリップが配設される、請求項２８記載のパウチ。
【請求項３０】
前記第２の閉止機構の前記雄型閉止要素と前記第１の閉止機構の前記雄型閉止要素との間に更なるストリップが配設される、請求項２９記載のパウチ。
【請求項３１】
前記第１の閉止機構の前記雌型閉止要素と前記第２の閉止機構の前記雌型閉止要素とがウェブで相互接続される、請求項２８記載のパウチ。
【請求項３２】
前記第２の閉止機構の前記雄型閉止要素と前記第１の閉止機構の前記雄型閉止要素とが更なるウェブで相互接続される、請求項３１記載のパウチ。
【請求項３３】
前記第１の袋壁上の前記第１の閉止機構の前記第１の雌型閉止要素は前記第２の閉止機構の前記第２の雄型閉止要素に隣接し、前記第２の袋壁上の前記第１の閉止機構の前記第１の雄型閉止要素は前記第２の閉止機構の前記第２の雌型閉止要素に隣接する、請求項１記載の開閉自在パウチ。
【請求項３４】
前記第１の袋壁上の前記第１の閉止機構の前記第１の雌型閉止要素は前記第２の閉止機構の前記第２の雌型閉止要素に隣接し、前記第２の袋壁上の前記第１の閉止機構の前記第１の雄型閉止要素は前記第２の閉止機構の前記第２の雄型閉止要素に隣接する、請求項１記載の開閉自在パウチ。
【請求項３５】
総合閉止力が０．２０〜０．３０ポンド（０．０９〜０．１４キログラム）の範囲内である、請求項１記載の開閉自在パウチ。
【請求項３６】
前記第１の雄型閉止要素が、縦方向の中心線に関して対称形である、請求項１記載の開閉自在パウチ。
【請求項３７】
前記第２の雄型閉止要素が、縦方向の中心線に関して非対称形である、請求項１記載の開閉自在パウチ。
【請求項３８】
前記第１の雌型閉止要素及び前記第２の雌型閉止要素が、縦方向の中心線に関して対称形である、請求項１記載の開閉自在パウチ。
【請求項３９】
ファスナーテープであって、
第１の内面を含む第１のファスナーテープ部、及び第２の内面を含む第２のファスナーテープ部と、
第１の雄型閉止要素及び第１の雌型閉止要素を備える第１の閉止機構であって、前記第１の雌型閉止要素は、第１の基部部材と、該第１の基部部材の両端部より内側から延びる第１及び第２の離間した脚部と、を有し、前記第１の雄型閉止要素及び前記第１の雌型閉止要素は前記第１の内面及び前記第２の内面からなる対向する面に配設され、第１の閉止特性を示す、第１の閉止機構と、
第２の雄型閉止要素及び第２の雌型閉止要素を備える第２の閉止機構であって、前記第２の雌型閉止要素は、第２の基部部材と、該第３の基部部材の両端部より内側から延びる第３及び第４の離間した脚部と、を有し、前記第２の雄型閉止要素及び前記第２の雌型閉止要素は前記第１の内面及び前記第２の内面からなる対向する面に配設され、第１の閉止特性とは異なる第２の閉止特性を示す、第２の閉止機構と、
を備え、
前記第１の雄型閉止要素はその端部から延びて前記第１の雌型閉止要素の前記脚部と係合する２つのフック部を含み、
前記第２の雄型閉止要素はその端部から延びて前記第２の雌型閉止要素の前記脚部の一方のみと係合する１つのフック部のみを含み、
前記第１の閉止機構及び前記第２の閉止機構は、前記第１及び第２の袋壁の前記内面に配設され、互いに平行であり且つ０．１インチ（２．５４ｍｍ）〜０．３インチ（７．６２ｍｍ）の間隔で離間されている、
ファスナーテープ。
【請求項４０】
前記第１の閉止機構及び前記第２の閉止機構の各々は雄型閉止要素及び雌型閉止要素を備え、前記第１の内面上の前記第１の閉止機構の第１の雌型閉止要素は前記第２の閉止機構の第２の雄型閉止要素に隣接し、前記第２の内面上の前記第１の閉止機構の第１の雄型閉止要素は前記第２の閉止機構の第２の雌型閉止要素に隣接する、請求項３９記載のファスナーテープ。
【請求項４１】
前記第１の雄型閉止要素が、縦方向の中心線に関して対称形である、請求項３９記載のファスナーテープ。
【請求項４２】
前記第２の雄型閉止要素が、縦方向の中心線に関して非対称形である、請求項３９記載のファスナーテープ。
【請求項４３】
前記第１の雌型閉止要素及び前記第２の雌型閉止要素が、縦方向の中心線に関して対称形である、請求項３９記載のファスナーテープ。